(57)【要約】【課題】移動時のストロボユニットとの衝突を防止して、良好なファインダの視野が得られ、携帯に便利な低コストの外付けファインダ装置、及びその外付けファインダ装置を備えるカメラを提供することを目的とする。【解決手段】撮影時の構図を決める際に使用するファインダ部１と、前記ファインダ部１をカメラ本体１０１の上部に固定するアクセサリーシュー１０２に取り付けるベース部２と、前記ベース部２に保持されて前記ファインダ部１をストロボユニット１０３のストロボ発光部１３０の上端部より上側で前記ファインダ部１のファインダ視野内に前記ストロボユニット１０３の進入を防止して保持する保持手段３を備える。【選択図】図１
2009015172.tif 000002
【特許請求の範囲】
【請求項１】
収納位置と発光位置に移動可能なストロボユニットを有するカメラ本体のアクセサリーシューに着脱可能に取り付けて撮影時の構図を決める外付けファインダ装置において、撮影時の構図を決める際に使用するファインダ部と、前記ファインダ部をカメラ本体の上部に固定するアクセサリーシューに取り付けるベース部と、前記ベース部に保持されて前記ファインダ部をストロボユニットのストロボ発光部の上端部より上側で前記ファインダ部のファインダ視野内に前記ストロボユニットの進入を防止して保持する保持手段と、を備えることを特徴とする外付けファインダ装置。
【請求項２】
請求項１に記載の外付けファインダ装置において、前記ファインダ部は、収納して構図を決める光学素子を備えることを特徴とする外付けファインダ装置。
【請求項３】
請求項１又は２に記載の外付けファインダ装置において、前記光学素子は、対物レンズを備えることを特徴とする外付けファインダ装置。
【請求項４】
請求項１、２又は３に記載の外付けファインダ装置において、前記保持手段は、前記カメラ本体の上部に固定する前記アクセサリーシューに取り付ける前記ファインダ部を前記ストロボ発光部の上端部よりも上側で前記ストロボユニット側寄りに前進する上昇前進位置で保持する上昇前進位置保持手段を備えることを特徴とする外付けファインダ装置。
【請求項５】
請求項４に記載の外付けファインダ装置において、前記上昇前進位置保持手段は、前記ストロボユニットが発光位置に移動した時に、前記ファインダ部を前記ストロボユニットの前記ストロボ発光部よりも上側の位置に保持することを特徴とする外付けファインダ装置。
【請求項６】
請求項４又は５に記載の外付けファインダ装置において、前記上昇前進位置保持手段は、前記ストロボユニットが発光位置に移動した時に、前記ファインダ部を前記ストロボ発光部側の前進位置に保持することを特徴とする外付けファインダ装置。
【請求項７】
請求項１、２又は３に記載の外付けファインダ装置において、前記保持手段は、前記カメラ本体の上部に固定する前記アクセサリーシューに取り付ける前記ファインダ部を前記ストロボ発光部の上端部よりも下側で前記ストロボ発光部よりも後側の下降後進位置で保持する下降後進位置保持手段を備えることを特徴とする外付けファインダ装置。
【請求項８】
請求項１、２又は３に記載の外付けファインダ装置において、前記保持手段は、前記ファインダ部を前記ストロボ発光部の上端部よりも上側で前記ストロボ発光部側に前進する上昇前進位置、又は、前記ストロボ発光部の上端部よりも下側で前記ストロボ発光部よりも後側の下降後進位置の各位置に移動可能で保持する移動位置保持手段を備えること特徴とする外付けファインダ装置。
【請求項９】
請求項８に記載の外付けファインダ装置において、前記移動位置保持手段は、前記ファインダ部を前記ストロボ発光部の上端部よりも上側の上昇位置、又は、前記ストロボ発光部の上端部よりも下側の下降位置の各位置に移動可能であること特徴とする外付けファインダ装置。
【請求項１０】
請求項８又は９に記載の外付けファインダ装置において、前記移動位置保持手段は、前記ファインダ部を前記ストロボ発光部側に前進する前進位置、又は、前記ストロボ発光部よりも後側の後進位置の各位置に移動可能であること特徴とする外付けファインダ装置。
【請求項１１】
請求項８、９又は１０に記載の外付けファインダ装置において、前記移動位置保持手段は、前記ファインダ部と前記ベース部を回動自在に連結する連結手段を備えること特徴とする外付けファインダ装置。
【請求項１２】
請求項１１に記載の外付けファインダ装置において、前記連結手段は、前記ファインダ部と一体のファインダ部連結部と、前記ベース部と一体のベース部連結部と、前記ファインダ部連結部と前記ベース部連結部に両端を回動自在に連結する連結リンクを備えること特徴とする外付けファインダ装置。
【請求項１３】
請求項１１又は１２に記載の外付けファインダ装置において、前記連結手段は、前記ベース部の被写体側の前方側に前記ベース部連結部を配置し、前記ファインダ部を下降後進位置で保持する際に前記ファインダ部連結部を前記ベース部連結部よりも後方側に位置すること特徴とする外付けファインダ装置。
【請求項１４】
請求項１１、１２又は１３に記載の外付けファインダ装置において、前記連結手段は、前記ファインダ部を上昇させる付勢手段を備えること特徴とする外付けファインダ装置。
【請求項１５】
請求項１４に記載の外付けファインダ装置において、前記付勢手段は、前記ファインダ部を回動方向に付勢するスプリング部材を備えること特徴とする外付けファインダ装置。
【請求項１６】
請求項１４又は１５に記載の外付けファインダ装置において、前記付勢手段は、前記連結リンクを回動方向に付勢するスプリング部材を備えること特徴とする外付けファインダ装置。
【請求項１７】
請求項１１乃至１６の何れか一項に記載の外付けファインダ装置において、前記連結手段は、前記ファインダ部を上昇前進位置で固定する上昇前進位置固定手段を備えること特徴とする外付けファインダ装置。
【請求項１８】
請求項１７に記載の外付けファインダ装置において、前記上昇位置固定手段は、前記ファインダ部の回動を固定するストッパー部を備えること特徴とする外付けファインダ装置。
【請求項１９】
請求項１７又は１８に記載の外付けファインダ装置において、前記上昇前進位置固定手段は、前記連結リンクの回動を固定するストッパー部を備えること特徴とする外付けファインダ装置。
【請求項２０】
請求項１１乃至１９の何れか一項に記載の外付けファインダ装置において、前記連結手段は、前記ファインダ部を下降後進位置で固定状態又は固定状態を解除する下降位置固定又は解除手段を備えること特徴とする外付けファインダ装置。
【請求項２１】
収納位置と発光位置との間で移動可能のストロボユニットを有する撮像装置において、被写体の結像画像を取得する撮像部を内蔵する撮像装置本体と、前記撮像装置本体の上部に固定する前記アクセサリーシューと、前記アクセサリーシューに取り付けて撮影時の構図を決める請求項１乃至２０の何れか一項に記載の前記外付けファインダ装置を備えることを特徴とする撮像装置。
【請求項２２】
請求項２１に記載の撮像装置において、前記撮像装置本体は、被写体の結像画像を電子画像で取得する撮像部を内蔵することを特徴とする撮像装置。
【発明の詳細な説明】
【技術分野】
【０００１】
本発明は、外付けファインダ装置、及びその外付けファインダ装置を備える撮像装置に関する。詳しくは、収納位置と発光位置に移動可能のストロボユニットを有するカメラ本体のアクセサリーシューに着脱可能に取り付けて撮影時の構図を決める外付けファインダ装置に関する。及びその外付けファインダ装置を備える収納位置と発光位置との間で移動可能のストロボユニットを有するスチルカメラやデジタルカメラ等のカメラに関する。
【背景技術】
【０００２】
従来の外付けファインダ装置、及びその外付けファインダ装置を備えるカメラにおいて、例えば、カメラ本体に回動可能に支持されたストロボ装置を備えたカメラ及びそれに対して着脱可能な外付けファインダは知られている。
ポップアップするストロボを備え、ストロボの上部にアクセサリーシューを備えたカメラが商品化されている（特許文献２を参照）。
他方、アクセサリーシューに取り付ける光学ファインダが既に知られている（特許文献１を参照）。然し、撮影レンズの焦点距離が変更された場合に、その焦点距離に対応した互いに大きさの異なる２つの視野枠が形成されていて、撮影レンズの焦点距離が変更された場合でも交換する必要がない外付けファインダを提供するものである。
また、近年、カメラの撮影者側に設けられた液晶ディスプレイ等の表示部に、撮像素子が出力する被写体の画像を表示し、撮影者がファインダを覗かなくても撮影が可能なデジタルカメラも普及している。
撮影者が、液晶ディスプレイなどの表示部を見ながら撮影する場合に、腕を伸ばしてカメラを支える必要があり、ぶれやすい。
他方、ファインダを覗いて撮影する場合は、カメラを顔に近づける必要があり、ぶれにくい。よって、撮影時にファインダを覗いて撮影することを好むユーザーも多い。
然し、ストロボがポップアップするストロボ内蔵カメラ（特許文献２を参照）のアクセサリーシューに、従来の外付けファインダ（特許文献１を参照）を取り付ける。そして、ストロボがポップアップしたときにストロボの発光部ユニットやステーが、外付けファインダに衝突してストロボが正常にポップアップすることが出来ないと言う不具合が生じていた。
【０００３】
図１０は、従来の外付けファインダ２００、及びその外付けファインダ２００を備えるカメラ３００の斜視図である。
図１０において、従来の外付けファインダ２００のファインダ部２０１が、カメラ本体３０１の上部に固定するアクセサリーシュー３０２の前寄りに配置されている。そのために、ストロボ解除ボタン３０４を操作して、ストロボユニット３０３を発光位置に上昇しようとした場合、ファインダ部２０１の光学系２１０の対物レンズ２１１の下部２１２に、ストロボケース３３０の上部３３１が衝突する。従って、ストロボユニット３０３が発光位置まで上昇して移動することが出来ないので、ストロボユニット３０３を使用することが出来なくなる。
更に、ストロボユニット３０３が正常にポップアップすることが出来るように、外付けファインダ２００の光学系２１０を、より上側に配置すると、外付けファインダ２００の全体が大型化してしまう。更に、外付けファインダ２００を装着した状態のカメラ３００の全体も大型化してしまうので、携帯するのに不便であると言う不具合も生じていた。
ストロボユニット３０３が正常にポップアップすることが出来るように、外付けファインダ２００の光学系２１０を、より撮影者側に配置すると、外付けファインダ２００の光学系２１０の視野内にストロボユニット３０３が入ってしまう。そして、撮影者が良好な視野を得られないと言う不具合も生じていた。
【特許文献１】特開２００２−４０５２２公報
【特許文献２】特開２００２−４０５３９公報
【発明の開示】
【発明が解決しようとする課題】
【０００４】
従来の外付けファインダ装置、及びその外付けファインダ装置を備えるカメラは、ストロボユニットが発光位置まで上昇して移動する際に外付けファインダに衝突してストロボユニットが正常にポップアップすることが出来なくなる。そして、ストロボユニットが正常にポップアップすることが出来るようにすると、外付けファインダの視野内にストロボユニットが入り良好な視野を得られなくなり、大型化して携帯するのに不便になると言う問題が発生していた。
そこで本発明の課題は、このような問題点を解決するものである。即ち、移動時のストロボユニットとの衝突を防止して、良好なファインダの視野が得られ、携帯に便利な低コストの外付けファインダ装置、及びその外付けファインダ装置を備えるカメラを提供することを目的とする。
【課題を解決するための手段】
【０００５】
上記目的を達成するために、請求項１に記載の本発明は、収納位置と発光位置に移動可能なストロボユニットを有するカメラ本体のアクセサリーシューに着脱可能に取り付けて撮影時の構図を決める外付けファインダ装置において、撮影時の構図を決める際に使用するファインダ部と、前記ファインダ部をカメラ本体の上部に固定するアクセサリーシューに取り付けるベース部と、前記ベース部に保持されて前記ファインダ部をストロボユニットのストロボ発光部の上端部より上側で前記ファインダ部のファインダ視野内に前記ストロボユニットの進入を防止して保持する保持手段と、を備えることを特徴とする。
又は、請求項２に記載の本発明は、請求項１に記載の外付けファインダ装置において、前記ファインダ部は、収納して構図を決める光学素子を備える外付けファインダ装置であることを特徴とする。
又は、請求項３に記載の本発明は、請求項１又は２に記載の外付けファインダ装置において、前記光学素子は、対物レンズを備える外付けファインダ装置であることを特徴とする。
又は、請求項４に記載の本発明は、請求項１、２又は３に記載の外付けファインダ装置において、前記保持手段は、前記カメラ本体の上部に固定する前記アクセサリーシューに取り付ける前記ファインダ部を前記ストロボ発光部の上端部よりも上側で前記ストロボユニット側寄りに前進する上昇前進位置で保持する上昇前進位置保持手段を備えることを特徴とする。
【０００６】
又は、請求項５に記載の本発明は、請求項４に記載の外付けファインダ装置において、前記上昇前進位置保持手段は、前記ストロボユニットが発光位置に移動した時に、前記ファインダ部を前記ストロボユニットの前記ストロボ発光部よりも上側の位置に保持する外付けファインダ装置であることを特徴とする。
又は、請求項６に記載の本発明は、請求項４又は５に記載の外付けファインダ装置において、前記上昇前進位置保持手段は、前記ストロボユニットが発光位置に移動した時に、前記ファインダ部を前記ストロボ発光部側の前進位置に保持することを特徴とする。
又は、請求項７に記載の本発明は、請求項１、２又は３に記載の外付けファインダ装置において、前記保持手段は、前記カメラ本体の上部に固定する前記アクセサリーシューに取り付ける前記ファインダ部を前記ストロボ発光部の上端部よりも下側で前記ストロボ発光部よりも後側の下降後進位置で保持する下降後進位置保持手段を備えることを特徴とする。
又は、請求項８に記載の本発明は、請求項１、２又は３に記載の外付けファインダ装置において、前記保持手段は、前記ファインダ部を前記ストロボ発光部の上端部よりも上側で前記ストロボ発光部側に前進する上昇前進位置、又は、前記ストロボ発光部の上端部よりも下側で前記ストロボ発光部よりも後側の下降後進位置の各位置に移動可能で保持する移動位置保持手段を備えること特徴とする。
【０００７】
又は、請求項９に記載の本発明は、請求項８に記載の外付けファインダ装置において、前記移動位置保持手段は、前記ファインダ部を前記ストロボ発光部の上端部よりも上側の上昇位置、又は、前記ストロボ発光部の上端部よりも下側の下降位置の各位置に移動可能であること特徴とする。
又は、請求項１０に記載の本発明は、請求項８又は９に記載の外付けファインダ装置において、前記移動位置保持手段は、前記ファインダ部を前記ストロボ発光部側に前進する前進位置、又は、前記ストロボ発光部よりも後側の後進位置の各位置に移動可能であること特徴とする。
又は、請求項１１に記載の本発明は、請求項８、９又は１０に記載の外付けファインダ装置において、前記移動位置保持手段は、前記ファインダ部と前記ベース部を回動自在に連結する連結手段を備える外付けファインダ装置であることを特徴とする。
又は、請求項１２に記載の本発明は、請求項１１に記載の外付けファインダ装置において、前記連結手段は、前記ファインダ部と一体のファインダ部連結部と、前記ベース部と一体のベース部連結部と、前記ファインダ部連結部と前記ベース部連結部に両端を回動自在に連結する連結リンクを備える外付けファインダ装置であることを特徴とする。
【０００８】
又は、請求項１３に記載の本発明は、請求項１１又は１２に記載の外付けファインダ装置において、前記連結手段は、前記ベース部の被写体側の前方側に前記ベース部連結部を配置し、前記ファインダ部を下降後進位置で保持する際に前記ファインダ部連結部を前記ベース部連結部よりも後方側に位置する外付けファインダ装置であることを特徴とする。
又は、請求項１４に記載の本発明は、請求項１１、１２又は１３に記載の外付けファインダ装置において、前記連結手段は、前記ファインダ部を上昇させる付勢手段を備える外付けファインダ装置であることを特徴とする。
又は、請求項１５に記載の本発明は、請求項１４に記載の外付けファインダ装置において、前記付勢手段は、前記ファインダ部を回動方向に付勢するスプリング部材を備える外付けファインダ装置であることを特徴とする。
又は、請求項１６に記載の本発明は、請求項１４又は１５に記載の外付けファインダ装置において、前記付勢手段は、前記連結リンクを回動方向に付勢するスプリング部材を備える外付けファインダ装置であることを特徴とする。
又は、請求項１７に記載の本発明は、請求項１１乃至１６の何れか一項に記載の外付けファインダ装置において、前記連結手段は、前記ファインダ部を上昇前進位置で固定する上昇前進位置固定手段を備える外付けファインダ装置であることを特徴とする。
【０００９】
又は、請求項１８に記載の本発明は、請求項１７に記載の外付けファインダ装置において、前記上昇位置固定手段は、前記ファインダ部の回動を固定するストッパー部を備える外付けファインダ装置であることを特徴とする。
又は、請求項１９に記載の本発明は、請求項１７又は１８に記載の外付けファインダ装置において、前記上昇前進位置固定手段は、前記連結リンクの回動を固定するストッパー部を備える外付けファインダ装置であることを特徴とする。
又は、請求項２０に記載の本発明は、請求項１１乃至１９の何れか一項に記載の外付けファインダ装置において、前記連結手段は、前記ファインダ部を下降後進位置で固定状態又は固定状態を解除する下降位置固定又は解除手段を備える外付けファインダ装置であることを特徴とする。
又は、請求項２１に記載の本発明は、収納位置と発光位置との間で移動可能のストロボユニットを有する撮像装置において、被写体の結像画像を取得する撮像部を内蔵する撮像装置本体と、前記撮像装置本体の上部に固定する前記アクセサリーシューと、前記アクセサリーシューに取り付けて撮影時の構図を決める請求項１乃至２０の何れか一項に記載の前記外付けファインダ装置を備えることを特徴とする。
又は、請求項２２に記載の本発明は、請求項２１に記載の撮像装置において、前記撮像装置本体は、被写体の結像画像を電子画像で取得する撮像部を内蔵することを特徴とする。
【発明の効果】
【００１０】
本発明によれば、移動時のストロボユニットとの衝突を防止して、良好なファインダの視野が得られ、携帯に便利な低コストの外付けファインダ装置、及びその外付けファインダ装置を備えるカメラを提供することが出来る。
【発明を実施するための最良の形態】
【００１１】
以下に、本発明の実施形態を、図面を参照して詳細に説明する。
図１は、本発明の実施の形態例にかかる外付けファインダ装置１０、及びその外付けファインダ装置１０を備えるカメラ１００の基本構成の外観斜視図である。
図２は、図１における本発明の実施の形態例にかかる外付けファインダ装置１０の断面図である。
図３は、本発明の実施の形態例にかかる外付けファインダ装置１０がカメラ本体１０１の上部に固定するアクセサリーシュー１０２に取り付けられてファインダ部１が下降後進位置で保持される状態の外観斜視図である。
図４は、図３における本発明の実施の形態例にかかる外付けファインダ装置１０がカメラ本体１０１の上部に固定するアクセサリーシュー１０２に取り付けられてファインダ部１が下降後進位置で保持される状態の断面図である。
図５は、本発明の実施の形態例にかかる外付けファインダ装置１０がカメラ本体１０１の上部に固定するアクセサリーシュー１０２に取り付けられてファインダ部１が下降後進位置で保持されて、ストロボユニット１０３を発光位置に移動した状態の外観斜視図である。
図６は、図５における本発明の実施の形態例にかかる外付けファインダ装置１０がカメラ本体１０１の上部に固定するアクセサリーシュー１０２に取り付けられてファインダ部１が下降後進位置で保持されて、ストロボユニット１０３を発光位置に移動した状態の断面図である。
【００１２】
図１乃至図６において、収納位置と発光位置に移動可能のストロボユニットを有するカメラ本体のアクセサリーシューに着脱可能に取り付けて撮影時の構図を決める外付けファインダ装置１０は、ファインダ部１を備えている。ファインダ部１は撮影時の構図を決める際に使用する。そして、ファインダ部１をカメラ本体１０１である被写体の結像画像を電子画像で取得する撮像部を内蔵するデジタルカメラ本体１１０の上部に固定するアクセサリーシュー１０２に取り付けるベース部２を備えている。更に、ベース部２に保持されてファインダ部１をストロボユニット１０３のストロボ発光部１３０の上端部より上側でファインダ部１のファインダ視野内にストロボユニット１０３の進入を防止して保持する保持手段３を備えている。
ファインダ部１は、図２、４又は６に図示するように収納する対物レンズ２１等の複数個の光学素子２０で構成するファインダ光学系、又は図示しない視野枠を形成して、撮影時の構図を決める際に使用することが出来る。
保持手段３の移動位置保持手段３０は、図１、２に図示するようにアクセサリーシュー１０２に取り付けるファインダ部１をストロボ発光部１３０の上端部より上側でストロボ発光部１３０側に前進する上昇前進位置に移動可能で保持する。
更に、移動位置保持手段３０は、図３乃至６に図示するようにアクセサリーシュー１０２に取り付けるファインダ部１をストロボ発光部１３０の上端部より下側でストロボ発光部１３０よりも後側の下降後進位置に移動可能で保持する。
【００１３】
移動位置保持手段３０は、カメラ本体１０１の上部に固定するアクセサリーシュー１０２に取り付けるファインダ部１をストロボユニット１０３のストロボ発光部１３０の上端部よりも上側の上昇前進位置に移動して保持する。
更に、移動位置保持手段３０は、カメラ本体１０１の上部に固定するアクセサリーシュー１０２に取り付けるファインダ部１をストロボユニット１０３のストロボ発光部１３０の上端部よりも下側の下降後進位置に移動して保持する。
更に、移動位置保持手段３０は、カメラ本体１０１の上部に固定するアクセサリーシュー１０２に取り付けるファインダ部１をストロボユニット１０３のストロボ発光部１３０側に前進する上昇前進位置に移動して保持する。
更に、移動位置保持手段３０は、カメラ本体１０１の上部に固定するアクセサリーシュー１０２に取り付けるファインダ部１をストロボユニット１０３のストロボ発光部１３０よりも後側の下降後進位置に移動して保持する。
外付けファインダ装置１０は、デジタルカメラ本体１１０の上部に固定するアクセサリーシュー１０２に取り付けて、ストロボユニット１０３を発光位置にした時には、図１、２に図示するように上昇前進位置にすれば、使用可能である。また、外付けファインダ装置１０は、ストロボユニット１０３が収納位置にされた時には、図３、４に図示するように下降後進位置にすれば、高さが低くなり、その位置で使用可能である。
【００１４】
図５、６に図示するように、ストロボユニット１０３が発光位置で、外付けファインダ装置１０のファインダ部１が下降後進位置にある場合は、外付けファインダ装置１０の視野をストロボケース１３１が邪魔する。そして、外付けファインダ装置１０の使用は出来ないが、デジタルカメラ本体１１０のＬＣＤモニター１０４を見ながら、ストロボユニット１０３を使用した撮影が可能である。
保持手段３の移動位置保持手段３０は、ファインダ部１とベース部２を回動自在に連結する連結手段４を備えている。その連結手段４は、ファインダ部１と一体のファインダ部連結部４１と、ベース部２と一体のベース部連結部４２を備えている。そして、ファインダ部連結部４１とベース部連結部４２に両端を回動自在に連結する連結リンク４０を備えている。
更に、連結手段４は、ファインダ部１を上昇させる付勢手段５を備えている。その付勢手段５は、ファインダ部１を連結リンク４０に作用して図示の矢印（Ａ）方向の回動方向に付勢するスプリング部材５０と連結リンク４０を連結リンク４０に作用して図示の矢印（Ｂ）方向の回動方向に付勢するスプリング部材５１を備えている。
更に、連結手段４は、ファインダ部１を上昇前進位置で固定する上昇前進位置固定手段６を備えている。その上昇前進位置固定手段６は、前記ファインダ部１の回動を固定するストッパー部６０と連結リンク４０の回動を固定するストッパー部６１を備えている。上下のストッパー部６０、６１に上下の突起部６２、６３が当接することにより、ファインダ部１が図１、２に図示するように上昇前進位置で固定される。
更に、連結手段４は、ファインダ部１を下降後進位置で固定状態又は固定状態を解除する下降位置固定又は解除手段７を備えている。
【００１５】
ファインダ部１は、図１、２に図示する上昇前進位置で固定された状態からファインダ部１に、スプリング部材５０、５１の力に抗して図示の矢印（Ｃ）方向の後下方向に手で力を加える。ファインダ部１は、図示の矢印（Ｃ）方向の後下方向に手で力を加えることにより、上昇前進位置から下降後進位置に移動させることが可能となる。
下降位置固定又は解除手段７は、連結リンク４０の突起部６２にスプリング７０により回転力が与えられたロックレバー７１のロック爪部７２が引っ掛かって、図３乃至６に図示するように下降後進位置で固定される。そして、ロックレバー７１の解除ボタン部７３を図示の矢印（Ｄ）方向の下方向に押すことにより、ロック爪部７２が連結リンク４０の突起部６２から外れて、スプリング５０、５１の力により図１、２に図示する上昇前進位置に移動する。
ファインダ部１は、下降後進位置と上昇前進位置にそれぞれ移動した時、下降後進位置では後方に、上昇前進位置では前方に、連結リンク４０の回動軌跡に沿って移動する。
ストロボユニット１０３が発光位置に位置し、外付けファインダ装置１０のファインダ部１が上昇前進位置に移動した時には、ストロボ発光部１３０が、外付けファインダ装置１０の対物レンズ２１の下のスペースに位置する。
他方、ストロボユニット１０３が収納位置に位置し、外付けファインダ装置１０のファインダ部１が下降後進位置に移動した時には、ストロボ発光部１３０が、外付けファインダ装置１０の対物レンズ２１の前のスペースに位置する。
連結手段４の連結リンク４０は、ベース部２の被写体側の前方側にベース部連結部４２を配置し、ファインダ部１を下降後進位置で保持する際にファインダ部連結部４１をベース部連結部４２よりも後方側に位置するようになっている。
【００１６】
このような構成により、外付けファインダ装置１０がストロボユニット１０３のポップアップの移動動作を邪魔しない。更には、ストロボユニット１０３がポップアップした発光位置とデジタルカメラ本体１１０への収納位置のどちらでも交換せずに使用可能にすることができる。更に、ファインダ部１がストロボユニット１０３のストロボケース１３１に干渉して衝突することなく、ストロボユニット１０３の使用が可能となる。そして、ストロボユニット１０３が発光位置にあってファインダ部１が上昇前進位置にある時、ストロボケース１３１によりファインダ部１のファインダ視野が蹴られることがなく、良好なファインダの視野が得られる。更に、外付けファインダ装置１０の出っ張り部を少なく出来るので、コンパクトで小型化になり、携帯に便利である。
【００１７】
デジタルカメラ本体１１０の有する収納位置と発光位置に移動動可能のストロボユニット１０３について説明する。ストロボユニット１０３は、外装部材であるストロボケース１３１とストロボパネル１３２を備えている。デジタルカメラ本体１１０は、外装部材である前カバー１１１、上カバー１１２、後カバー１１３を備えている。
前カバー１１１には、ストロボユニット１０３が収納位置に位置している際に、ストロボパネル１３２が露出しないように、ストロボパネル１３２と対向するように被写体側の前方向に略ひさし状に伸びた延出部１１４が設けられている。
ストロボケース１３１は、デジタルカメラ本体１１０の上部に配置されたアクセサリーシュー１０２を跨ぐ一対の脚部１３３、１３４を備えている。脚部１３３、１３４の後端が、アクセサリーシュー１０２の左右側面に連結して回動可能に軸支され、これを中心とする回動運動により、図３、４に図示する収納位置と図１、２、５、６に図示する発光位置との間を移動可能となっている。
ストロボユニット１０３は、図示しないバネ部材により発光位置の方向に常時付勢されている。ストロボケース１３１には係合溝１３５が設けられ、この係合溝１３５に図示しないロック爪が係止されることにより、ストロボユニット１０３は収納位置に固定される。
ストロボユニット１０３を発光位置に移動させる際には、ストロボ解除ボタン１３６を図示の矢印（Ｅ）方向の解除方向に移動させることにより、図示しないロック爪を回動させて係合溝１３５から退避させる。そして、図示しないバネ部材の付勢力によりストロボユニット１０３を回動させる。
【００１８】
図２に図示するように、ストロボユニット１０３は、ストロボケース１３１の中央後下部に後方への突起部１３７と、アクセサリーシュー１０２の前に設けられた上カバー１１２の前方への突起部１１５とを有している。この２つの突起部１３７と１１５が当接することにより、ストロボユニット１０３の回動動作を停止させる停止機能の役割をする。
前述のように、図示しないロック爪を回動させて係合溝１３５から退避させて収納位置での係止を解除すると、ストロボユニット１０３は、図示しないバネ部材の付勢力により回動アップ動作を行う。ストロボケース１３１の中央後下部の後方への突起部１３７が、アクセサリーシュー１０２の前に設けられた上カバー１１２の前方への突起部１１５に当接して、移動を停止する。この停止位置がストロボユニット１０３の発光位置となる。
ストロボユニット１０３には、発光位置に位置している場合にも、依然として図示しないバネ部材の付勢力が与えられているので、ストロボユニット１０３は、発光位置で固定されることになる。
ストロボ発光部１３０は、図２に図示するようにストロボ発光管であるキセノン管１３８、ストロボ反射傘１３９とストロボパネル１３２で構成されている。キセノン管１３８は、略円筒状の形状であり、ストロボケース１３１の回転支軸と略平行に配置されている。
キセノン管１３８とトリガーコイル１４０は図示しない各々２本のリード線でデジタルカメラ本体１１０の図示しない制御回路に接続され、トリガーコイル１４０が発する発光トリガー信号は、キセノン管１３８に直接印加される。ストロボパネル１３２は、キセノン管１３１から発光されたストロボ光及びストロボ反射傘１３９からの反射光を透過するように形成されている。
【００１９】
図７は、本発明の第２の実施の形態例にかかる外付けファインダ装置１０、及びその外付けファインダ装置１０を備えるカメラ１００の基本構成の外観斜視図である。
図７において、保持手段３は、アクセサリーシュー１０２に取り付けるファインダ部１をストロボ発光部１３０の上端部より上側でストロボユニット１０３側よりに前進する上昇前進位置で保持する上昇前進位置保持手段３１を備えている。
上昇前進位置保持手段３１は、ストロボユニット１０３が発光位置に移動した時に、ファインダ部１をストロボユニット１０３のストロボ発光部１３０よりも上側の位置に保持する。そして、上昇前進位置保持手段３１は、ストロボユニット１０３が発光位置に移動した時に、ファインダ部１をストロボユニット１０３のストロボ発光部１３０側の前進位置に保持する。
即ち、上昇前進位置保持手段３１は、図１乃至６に図示する保持手段３の移動位置保持手段３０の移動機構を無くして、ファインダ部１を図１、２に図示した状態の上昇前進位置に固定したものである。
その他の外付けファインダ装置１０及びその外付けファインダ装置１０を備えるカメラ１００の説明は、前述の説明と重複するので省略する。
従って、移動時のストロボユニット１０３との衝突を防止して、良好なファインダの視野が得られ、簡単な構成で携帯に便利な低コストの外付けファインダ装置１０、及びその外付けファインダ装置１０を備えるカメラ１００を提供することが出来る。
【００２０】
図８は、本発明の第３の実施の形態例にかかる外付けファインダ装置１０、及びその外付けファインダ装置１０を備えるカメラ１００の基本構成の外観斜視図である。
図９は、図８における本発明の第３の実施の形態例にかかる外付けファインダ装置１０、及びその外付けファインダ装置１０を備えるカメラ１００のストロボユニット１０３を発光位置に移動した状態の外観斜視図である。
図８と図９において、保持手段３は、アクセサリーシュー１０２に取り付けるファインダ部１をストロボ発光部１３０の上端部より下側でストロボ発光部１３０よりも後側の下降後進位置で保持する下降後進位置保持手段３２を備えている。
即ち、下降後進位置保持手段３２は、図１乃至６に図示する保持手段３の移動位置保持手段３０の移動機構を無くして、ファインダ部１を図３乃至６に図示した状態の下降後進位置に固定したものである。
ストロボユニット１０３が収納位置に位置している時、外付けファインダ装置１０は使用可能である。ストロボユニット１０３が発光位置に位置した時、ストロボ発光部１３０がアクセサリーシュー１０２に取り付けたファインダ部１の対物レンズ２１の前のスペースに位置することで、ストロボユニット１０３の使用が可能となる。
その他の外付けファインダ装置１０及びその外付けファインダ装置１０を備えるカメラ１００の説明は、前述の説明と重複するので省略する。
従って、移動時のストロボユニット１０３との衝突を防止して、良好なファインダの視野が得られ、小型で簡単な構成で携帯に便利な低コストの外付けファインダ装置１０、及びその外付けファインダ装置１０を備えるカメラ１００を提供することが出来る。
【図面の簡単な説明】
【００２１】
【図１】本発明の実施の形態例にかかる外付けファインダ装置、及びその外付けファインダ装置を備えるカメラの基本構成の外観斜視図である。
【図２】図１における本発明の実施の形態例にかかる外付けファインダ装置の断面図である。
【図３】本発明の実施の形態例にかかる外付けファインダ装置がカメラ本体の上部に固定するアクセサリーシューに取り付けられてファインダ部が下降後進位置で保持される状態の外観斜視図である。
【図４】図３における本発明の実施の形態例にかかる外付けファインダ装置がカメラ本体の上部に固定するアクセサリーシューに取り付けられてファインダ部が下降後進位置で保持される状態の断面図である。
【図５】本発明の実施の形態例にかかる外付けファインダ装置がカメラ本体の上部に固定するアクセサリーシューに取り付けられてファインダ部が下降後進位置で保持されて、ストロボユニットを発光位置に移動した状態の外観斜視図である。
【図６】図５における本発明の実施の形態例にかかる外付けファインダ装置がカメラ本体の上部に固定するアクセサリーシューに取り付けられてファインダ部が下降後進位置で保持されて、ストロボユニットを発光位置に移動した状態の断面図である。
【図７】本発明の第２の実施の形態例にかかる外付けファインダ装置、及びその外付けファインダ装置を備えるカメラの基本構成の外観斜視図である。
【図８】本発明の第３の実施の形態例にかかる外付けファインダ装置、及びその外付けファインダ装置を備えるカメラの基本構成の外観斜視図である。
【図９】図８における本発明の第３の実施の形態例にかかる外付けファインダ装置、及びその外付けファインダ装置を備えるカメラのストロボユニットを発光位置に移動した状態の外観斜視図である。
【図１０】従来の外付けファインダ、及びその外付けファインダを備えるカメラの斜視図である。
【符号の説明】
【００２２】
１  ファインダ部、２  ベース部、３  保持手段、４  連結手段、５  付勢手段、６  上昇前進位置固定手段、７  下降位置固定又は解除手段、１０  外付けファインダ装置、２０  光学素子、２１  対物レンズ、３０  移動位置保持手段、３１  上昇前進位置保持手段、３２  下降後進位置保持手段、４０  連結リンク、４１  ファインダ部連結部、４２  ベース部連結部、５０、５１  スプリング部材、６０、６１  ストッパー部、６２、６３  突起部、７０  スプリング、７１  ロックレバー、７２  ロック爪部、７３  解除ボタン部、１００  カメラ、１０１  カメラ本体、１０２  アクセサリーシュー、１０３  ストロボユニット、１０４  ＬＣＤモニター、１１０  デジタルカメラ本体、１１１  前カバー、１１２  上カバー、１１３  後カバー、１１４  延出部、１１５  突起部、１３０  ストロボ発光部、１３１  ストロボケース、１３２  ストロボパネル、１３３、１３４  脚部、１３５  係合溝、１３６  ストロボ解除ボタン、１３７  突起部、１３８  キセノン管、１３９  反射傘、１４０  トリガーコイル、２００  外付けファインダ、２０１  ファインダ部、２１０  光学系、２１１  対物レンズ、２１２  下部、３００  カメラ、３０１  カメラ本体、３０２  アクセサリーシュー、３０３  ストロボユニット、３０４  ストロボ解除ボタン、３３０  ストロボケース、３３１  上部
【図１】
2009015172.tif 000003
【図２】
2009015172.tif 000004
【図３】
2009015172.tif 000005
【図４】
2009015172.tif 000006
【図５】
2009015172.tif 000007
【図６】
2009015172.tif 000008
【図７】
2009015172.tif 000009
【図８】
2009015172.tif 000010
【図９】
2009015172.tif 000011
【図１０】
2009015172.tif 000012